(57)【要約】【課題】頭頸部の下に生じる隙間を埋めて、枕と頭頸部とをフィットさせて、就寝時の心地よさを向上させる。【解決手段】枕１の下側部材３に、幅方向に延びる頭頂部支持部３１と、頭頂部支持部３１よりも高さが低い後頭部支持部３３と、頭頂部支持部３１よりも高さが低くかつ、後頭部支持部３３よりも高さが高い頸部支持部３５とを順に備え、下側部材３の上に、頭頸部が載置されることで後頭部から側頭部にかけて頭頸部に沿うように変形する変形する上側部材５を設ける。【選択図】図１
2018201859.tif 000002
【特許請求の範囲】
【請求項１】
就寝時に用いられる枕であって、
頭頂部支持部と、
前記頭頂部支持部よりも高さが低い後頭部支持部と、
前記頭頂部支持部よりも高さが低くかつ、前記後頭部支持部よりも高さが高い頸部支持部とを順に有する下側部材と、
前記下側部材の上に設けられ、頭頸部が載置されることで後頭部から側頭部にかけて該頭頸部に沿うように変形する上側部材とを備えることを特徴とする枕。
【請求項２】
請求項１に記載の枕において、
前記頸部支持部に隣接する肩部支持部を備えることを特徴とする枕。
【請求項３】
請求項２に記載の枕において、
前記上側部材の一端は、前記下側部材の前記頸部支持部と前記肩部支持部との間に接続されていることを特徴とする枕。
【請求項４】
請求項１〜３のいずれか１項に記載の枕において、
前記上側部材の幅方向中間部には、前記頭頂部支持部に対応する頭頂部載置部と、前記後頭部支持部に対応する後頭部載置部と、前記頸部支持部に対応する頸部載置部とが設けられ、
前記上側部材の幅方向両端部には、前記幅方向中間部よりも高く、横臥状態で側頭部が載置される側頭部載置部が設けられていることを特徴とする枕。
【請求項５】
請求項１〜４のいずれか１項に記載の枕において、
前記上側部材は、複数の小室に区画された袋体に充填材が充填されることで形成され、
前記各小室は、前記充填材を出し入れするための出入口を備えることを特徴とする枕。
【発明の詳細な説明】
【技術分野】
【０００１】
本発明は、頭頸部を安定的に支持する枕に関するものである。
【背景技術】
【０００２】
従来より、頭頸部を自然な状態に支持して、身体の緊張を和らげるとともに、心地よさを確保するために、頭頸部にフィットして、頭頸部の下の隙間を埋める枕が知られている。
【０００３】
例えば、特許文献１には、使用者の頭頸部を支持する枕が開示されている。この枕は頭部支持部と、前記頭部支持部よりも高さが低い頸椎部支持部と、前記頸椎部支持部よりもさらに高さが低い胸椎部支持部とを備えている。この枕によれば、仰臥状態において、枕にかかる負担を分散して、頸椎に係る負担を軽減させることで、身体がリラックスしている状態を作り出すことができる。
【先行技術文献】
【特許文献】
【０００４】
【特許文献１】特開２０１５−２００５１号公報
【発明の概要】
【発明が解決しようとする課題】
【０００５】
ところで、人体の頭頸部は、頭頂部から肩部にかけての前後方向において、Ｓ字形状を有している。しかし、前記従来の特許文献１のものでは、枕の各部分が、頭部、頸椎部及び上部胸椎部を支持しているが、枕の幅方向についての断面が三角形状であるため、枕が頭頸部のＳ字形状に沿った形状ではなく、頭頸部の下に隙間ができてしまう。また、仰臥状態で肩幅の方向である枕の幅方向においては、後頭部は、側頭部にかけて湾曲した形状であるため、枕との接触面が小さく、枕との間に隙間ができてしまうという問題があった。
【０００６】
本発明はかかる点に鑑みてなされたものであり、その目的とするところは、枕の構造に工夫を加えることで、頭頸部の下に生じる隙間を埋めて、枕と頭頸部とをフィットさせて、就寝時の心地よさを向上させることにある。
【課題を解決するための手段】
【０００７】
上記の目的を達成するため、本発明では、枕を前後方向で頭頸部にフィットさせるための下側部材と、幅方向で頭頸部にフィットさせるための上側部材とを設けるようにした。
【０００８】
具体的には、第１の発明は、就寝時に用いられる枕であって、頭頂部支持部と、前記頭頂部支持部よりも高さが低い後頭部支持部と、前記頭頂部支持部よりも高さが低くかつ、前記後頭部支持部よりも高さが高い頸部支持部とを順に有する下側部材と、前記下側部材の上に設けられ、頭頸部が載置されることで後頭部から側頭部にかけて該頭頸部に沿うように変形する上側部材とを備えることを特徴とする。
【０００９】
この第１の発明では、下側部材の各部分の高さにより、枕がその前後方向において、頭頸部の形状にフィットすることで頭頸部の下に隙間が生じることを防止することができる。また、枕の幅方向では、上側部材が変形することで、枕を頭頸部の湾曲形状に沿わせることができ、頭頸部の下に隙間が生じることを防止することができる。よって、幅方向及び前後方向の双方において枕と頭頸部とをフィットさせて、就寝時の心地よさを向上させることができる。
【００１０】
第２の発明は、第１の発明において、前記頸部支持部に隣接する肩部支持部を備えることを特徴とする。
【００１１】
この第２の発明では、肩部支持部を備えることにより、肩部の下に隙間が生じることを防止することができ、頭頂部から肩部にかけての前後方向のラインにおいて、枕をフィットさせることができる。
【００１２】
第３の発明は、第２の発明において、前記上側部材の一端は、前記下側部材の前記頸部支持部と前記肩部支持部との間に接続されていることを特徴とする。
【００１３】
この第３の発明では、上側部材と下側部材との位置ずれを防止することができ、安定して枕を頭頸部にフィットさせることができる。
【００１４】
第４の発明は、第１〜第３の発明のいずれか１つにおいて、前記上側部材の幅方向中間部には、前記頭頂部支持部に対応する頭頂部載置部と、前記後頭部支持部に対応する後頭部載置部と、前記頸部支持部に対応する頸部載置部とが設けられ、前記上側部材の幅方向両端部には、前記幅方向中間部よりも高く、横臥状態で側頭部が載置される側頭部載置部が設けられていることを特徴とする。
【００１５】
この第４の発明では、仰臥状態においては、幅方向中間部は下側部材に加えて上側部材も頭頸部にフィットし易い形状であるので、枕がより前後方向にフィットし易くなる。ところで、横臥状態においては、肩部と頸部との間で高さが大きく変化して、その分、頸部の下に隙間が生じやすくなる。本発明によれば、側頭部載置部は幅方向中間部よりも高いため横臥状態で生じる頸部の下の隙間を埋めることができ、枕と頭頸部とがフィットし易くなる。
【００１６】
第５の発明は、第１〜第４の発明のいずれか１つにおいて、前記上側部材は、複数の小室に区画された袋体に充填材が充填されることで形成され、前記各小室は、前記充填材を出し入れするための出入口を備えることを特徴とする。
【００１７】
この第５の発明では、上側部材を複数の部分に区画することにより、充填材が袋体の中で移動することによる充填材の偏りを防止することができ、安定して枕を頭頸部にフィットさせることができる。さらに、各小室に出入口が設けられることで、充填材の量や種類を容易に変更することができ、使用者の好みや体型に合わせて枕を調整することができる。さらに、各小室の境界を起点にして上側部材は変形し易くなる。よって、枕と頭頸部とをよりフィットさせ易くなる。
【発明の効果】
【００１８】
以上説明したように、本発明の枕は、枕を前後方向で頭頸部にフィットさせる下側部材と、幅方向で頭頸部にフィットさせる上側部材とを備えているので、頭頸部の前後方向だけでなく、頭頸部の幅方向にも枕をフィットさせることができ、頭頸部の下に生じる隙間を埋めて、就寝時の心地よさを向上させることができる。
【図面の簡単な説明】
【００１９】
【図１】本発明の実施形態１に係る枕の、枕カバーを外した状態の斜視図である。
【図２】下側部材及び肩部支持部の平面図である。
【図３】上側部材の平面図である。
【図４】仰臥状態における枕の幅方向中間部の断面図である。
【図５】仰臥状態における枕の前後方向中間部の断面図である。
【図６】横臥状態における枕の側頭部載置部に対応する部分の幅方向の断面図である。
【図７】本発明の実施形態２を示す図１相当図である。
【発明を実施するための形態】
【００２０】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２１】
（実施形態１）
図１は、本発明の第１実施形態に係る就寝時に用いられる枕１を示す。以下の説明において、前後方向とは仰臥状態における身長の方向を示し、頭頸部側が前側である。また、幅方向とは仰臥状態における肩幅の方向を示す。
【００２２】
図１及び図４に示すように、この枕１は、下側部材３、肩部支持部７及び上側部材５を一体的に備えており、枕カバー１５に覆われている。下側部材３は、前から順に頭頂部支持部３１、後頭部支持部３３、及び頸部支持部３５を備えており、各部分は平行に延びている。肩部支持部７は、頸部支持部３５の後側に隣接して設けられ、下側部材３と同じ幅を有している。上側部材５は、下側部材３の上に位置しており、幅方向及び前後方向の寸法は下側部材３と略同一である。上側部材５の一端（後端）は、下側部材３と肩部支持部７との間に一体に接続されている。上側部材５は、幅方向両端部にそれぞれ１つずつの側頭部載置部５７，５７を備え、さらに、幅方向中間部に、前から順に頭頂部載置部５１、後頭部載置部５３、及び頸部載置部５５を備えている。
【００２３】
図２は、下側部材３と肩部支持部７とを示す。下側部材３は、前述したように、前から順に、頭頂部支持部３１、後頭部支持部３３、頸部支持部３５を備えており、図４にも示すように、前後方向の寸法及び厚み（高さ）は共に大きい方から順に、頭頂部支持部３１、頸部支持部３５、後頭部支持部３３である。下側部材３は、各部分に対応する小室１３に区画された下側袋体３７を有している。それぞれの小室１３には、スリット状の出入口１１が形成されており、各出入口１１から充填材が出し入れされる。下側部材３に充填される充填材としては、後述する後頭部載置部５３及び頸部載置部５５に充填される充填材に比べて硬いものが好ましく、例えば、ポリエチレン製のソフトパイプが挙げられる。また、それらの材料を直接小室１３に充填してもよいし、それらの材料が充填された小袋を小室１３に充填してもよい。
【００２４】
肩部支持部７は、下側部材３と同じ幅を有する長方形の板状の形状である。肩部支持部７は、前側の端部で下側部材３と縫合により接続されており、袋体の中に充填材が充填されている。肩部支持部７に用いられる充填材としては、高反発ウレタンフォームが好ましく、下側部材３及び上側部材５に比べて反発力があると就寝時に寝返りがし易い。
【００２５】
図３は、上側部材５を示しており、前述したように、上側部材５の幅方向両端部には、それぞれ前後方向全域に側頭部載置部５７が設けられている。また、両側頭部載置部５７，５７の間である幅方向中間部には、前から順に、頭頂部載置部５１、後頭部載置部５３、頸部載置部５５が設けられており、それらはそれぞれ、下側部材３の頭頂部支持部３１、後頭部支持部３３、頸部支持部３５に対応している。図４にも示すように、幅方向中間部の厚み（高さ）は大きい方から順に、頭頂部載置部５１、頸部載置部５５、後頭部載置部５３であり、図５に示すように、側頭部載置部５７の厚みは頭頂部載置部５１よりも厚い。上側部材５は、各部分に対応する小室１３に区画された上側袋体５９を有している。それぞれの小室１３には、スリット状の出入口１１が形成されており、各出入口１１から充填材が出し入れされる。頭頂部載置部５１に充填される充填材としては、ポリエチレン製のソフトパイプが好ましい。後頭部載置部５３及び頸部載置部５５に充填される充填材としては、下側部材３の後頭部支持部３３及び頸部支持部３５の充填材よりも柔らかいものが好ましく、例えばエラストマーパイプが挙げられる。そのことにより、後頭部載置部５３及び頸部載置部５５が下側部材よりも頭頸部に沿って変形し易くなるため、枕が頭頸部にフィットし易い。側頭部載置部５７に充填される充填材としては、例えば綿が挙げられる。また、下側部材３と同様に、各小室１３に充填される充填材は、上記で挙げた材料を直接小室１３に充填してもよいし、それらの材料が充填された小袋を小室１３に充填してもよい。
【００２６】
したがって、本実施形態によれば、図４に示すように、仰臥状態において、枕１の前後方向では、比較的固い下側部材３の高さが、頭頸部の前後方向の形状に合わせて変化している。そのため、枕１全体としてのベースとなる形状が頭頸部のＳ字形状に合うことになる。さらに、頭頸部が直接載置される上側部材５も、頭頂部載置部５１、後頭部載置部５３、及び頸部載置部５５において頭頸部の形状に合わせた高さを有しているので、枕１がより頭頸部にフィットし易くなる。また、肩部支持部７が設けられていることにより、肩部の下の隙間を埋めることができるので、頭頂部から肩部にかけての前後方向のラインにおいて、枕１と頭頸部とをフィットさせることができる。
【００２７】
また、図５に示すように、枕１の幅方向では、上側部材５が頭頸部の湾曲形状に沿って変形しているため、頭頸部の下の隙間を埋めることができる。よって、幅方向においても枕１と頭頸部とをフィットさせることができる。
【００２８】
さらに、上側部材５の後頭部載置部５３、及び頸部載置部５５の充填材として下側部材３よりも柔らかいエラストマーパイプが使用されているので、形状の変化が大きい後頭部及び頸部の形状に合わせて、枕１が変形することができ、頭頸部の下の隙間を埋めることができる。
【００２９】
また、本実施形態では、上側部材５の一端（後端）は下側部材３と肩部支持部７との間に一体に接続されている。よって枕カバー１５の中での上側部材５と下側部材３との位置ずれを防止することができ、それぞれの部材を適した位置に保ったまま、安定して枕１を頭頸部にフィットさせることができる。
【００３０】
さらに、上側部材５及び下側部材３の各袋体５９，３７は、各部分に対応する小室１３に区画されているので、充填材が袋体５９，３７の中を移動することによる充填材の偏りを防止することができ、この点からも安定して枕１を頭頸部にフィットさせることができる。また、各小室１３の境界は、充填材が充填されておらず、下側部材３には、幅方向に延びる境界線が、上側部材５には幅方向及び前後方向に延びる境界線が形成されている。この境界線を起点にして下側部材３、及び上側部材５は変形し易くなっている。このことにより、各部材３，５は頭頸部の前後方向のＳ字形状に合わせて変形し易くなる。特に上側部材５では、幅方向にも頭頸部の形状に沿って変形し易くなる。よって頭頸部の下の隙間を埋め易くなり、枕１と頭頸部とをよりフィットさせることができる。
【００３１】
また、各小室１３には出入口１１が形成されているので、充填材の量や種類を容易に変更することができる。よって、充填材の量を変更して使用者の体型に合うように高さを調節し、また、充填材の種類を変更して使用者の好みに合わせて堅さを調節することで、それぞれの使用者に合った枕１とすることができる。特に下側部材３で枕１のベースとなる形状が決まるので、直接頭頸部が載置される上側部材５の充填材を調節するだけで使用者に合った枕１になる。
【００３２】
ところで、図６に示すように、横臥状態では、肩部と頸部との間で高さが大きく変化して、その分、頸部の下に隙間が生じやすくなってしまう。本実施形態によれば、側頭部載置部５７は幅方向中間部よりも高くなっているため、側頭部載置部５７に頭頸部を載せることで、横臥状態で生じる頸部の下の隙間を埋めることができ、枕１と頭頸部とがフィットし易くなる。これにより、仰臥状態だけでなく、横臥状態においても枕１と頭頸部とをフィットさせて就寝時の心地よさを向上させることができる。
【００３３】
（実施形態２）
図７は本発明の第２実施形態を示し、肩部支持部７の形状を変更したものである。尚、以下の各実施形態の説明では、図１〜図６と同じ部分については同じ符号を付してその詳細な説明は省略し、上記実施形態１と異なる点を説明する。
【００３４】
本実施形態の枕１に係る肩部支持部７のうち、頸部載置部５５に対応する部分は前後方向に一定の寸法である。一方、両側頭部載置部５７，５７に対応する部分の後端部は、幅方向の端部に近付くにつれて前方へ湾曲しており、肩部支持部７は、幅方向両端部が欠損するように形成されている。
【００３５】
したがって、本実施形態によれば、仰臥状態では肩部は肩部支持部７に支持されるが、横臥状態では、肩部は肩部支持部７に支持されない。横臥状態では肩部はほぼ一定の高さであるため、仮に肩部支持部７に支持されているとかえって違和感が生じる場合がある。よって、本実施形態では横臥状態で違和感が生じることを防止でき、寝心地がよくなる。さらに、肩部の位置が高くなり、それに合わせて頸部の位置も高くなることを防止することができるので、頸部の下の隙間を埋めやすくなり、枕１と頭頸部とをフィットさせることができる。
【００３６】
（その他の実施形態）
上記各実施形態では、頭頂部支持部３１、後頭部支持部３３及び頸部支持部３５の前後方向の寸法は大きい方から順に、頭頂部支持部３１、頸部支持部３５、後頭部支持部３３としたが、これに限定されない。例えば、前後方向の寸法を大きい方から順に、頸部支持部３５、頭頂部支持部３１、後頭部支持部３３としてもよい。すなわち、各部分の前後方向の寸法は使用者の体型や好み等によって変更することができる。
【００３７】
上記各実施形態では、上側部材５は、両側の側頭部載置部５７、頭頂部載置部５１、後頭部載置部５３、及び頸部載置部５５を有し、５つの小室１３に分けられていたが、これに限定されない。例えば、上側部材５は、より多くの小室を有してもよいし、区画されない１つの部分からなってもよい。すなわち、上側部材５の形態は使用者の体型や好み等によって変更することができる。
【００３８】
上記各実施形態では、それぞれの小室１３には、スリット状の出入口１１が１つずつ形成されていたが、これに限定されない。例えば、出入口１１にファスナーを設けるようにしてもよい。また、出入口１１の数や位置等は自由に変更することができる。
【００３９】
上記各実施形態では、各小室１３に充填される充填材として上記のものを挙げたが、他にも例えば、ソフトパイプ、ウレタンチップ、木材チップ、エラストマーパイプ、ウレタンフォーム、そば殻、綿等、枕として用いられる種々のものが挙げられ、それらを使用者の体型や好みに合わせて、単独あるいは組み合わせて使用することができる。
【産業上の利用可能性】
【００４０】
本発明は、頭頸部の下に生じる隙間を埋めることで、頭頸部とフィットして、就寝時の心地よさを向上させる枕が得られて有用である。
【符号の説明】
【００４１】
１  枕
３  下側部材
５  上側部材
７  肩部支持部
１１  出入口
１３  小室
３１  頭頂部支持部
３３  後頭部支持部
３５  頸部支持部
５１  頭頂部載置部
５３  後頭部載置部
５５  頸部載置部
５７  側頭部載置部
５９  上側袋体（袋体）
【図１】
2018201859.tif 000003
【図２】
2018201859.tif 000004
【図３】
2018201859.tif 000005
【図４】
2018201859.tif 000006
【図５】
2018201859.tif 000007
【図６】
2018201859.tif 000008
【図７】
2018201859.tif 000009